(57)【要約】【課題】盤内に並置配備した複数台の回路遮断器について、その回路遮断器の付替え，増設などの仕様変更に対しても、簡単な配線作業で柔軟に対応できるように構造を改良した回路遮断器のブスバー装置を提供する。【解決手段】左右に並べて盤内に設置した複数台の回路遮断器１に対し、各回路遮断器の電源側端子１ｂの相互間に渡り配線する回路遮断器のブスバー装置において、当該ブスバー装置を回路遮断器１と一対一で対応するブスバーユニット６に分けた上で、各ブスバーユニット６は、そのユニットケース７に各相のブスバー導体８を内装し、かつ回路遮断器1の端子配列に合わせて前記ブスバー導体８から分岐した接続端子８ａをユニットケースの側方に引き出した構成となし、このブスバーユニット６の接続端子８ａを回路遮断器１の電源側端子１ｂに差込み接続した状態で、隣接するブスバーユニット６の相互間をプラグイン式に連結して各相のブスバー導体８同士を電気的に接続する。【選択図】図１
2011125149.tif 000002
【特許請求の範囲】
【請求項１】
左右に並べて盤内に設置した複数台の回路遮断器に対し、各回路遮断器の電源側端子の相互間に渡り配線する回路遮断器のブスバー装置において、
当該ブスバー装置を回路遮断器と一対一で対応するブスバーユニットに分けた上で、各ブスバーユニットは、そのユニットケースに各相のブスバー導体を内装し、かつ回路遮断器の端子配列に合わせて前記ブスバー導体から分岐した接続端子をユニットケースの側方に引き出した構成となし、このブスバーユニットの接続端子を回路遮断器の電源側端子に差込み接続した状態で、隣接するブスバーユニットの相互間をプラグイン式に連結して各相のブスバー導体同士を電気的に接続するようにしたことを特徴とする回路遮断器のブスバー装置。
【請求項２】
請求項１に記載のブスバー装置において、ブスバー導体の一端部にバネ性を持たせた接続アームを一体形成し、該接続アームを隣接するユニットケースのブスバー導体に重ね合わせてプラグイン式に接続するようにしたことを特徴とする回路遮断器のブスバー装置。
【請求項３】
請求項２に記載のブスバー装置において、接続アームがブスバー導体の端部から複数本に分けて分岐延在した撓み性を有するフォーク状のアームになり、かつ該アームの先端部には隣接するユニットケースのブスバー導体に重なり合う凸状接触部を形成したことを特徴とする回路遮断器のブスバー装置。
【請求項４】
請求項１ないし３のいずれかに記載のブスバー装置において、各ブスバーユニットが、そのユニットケースの両端に着脱可能なサイドキャップ，サイドカバーを備えていることを特徴とする回路遮断器のブスバー装置。
【発明の詳細な説明】
【技術分野】
【０００１】
この発明は、マニュアル・モータ・スタータ（モータ保護専用の配線用遮断器）などを対象とした回路遮断器に適用するブスバー装置に係わる。
【背景技術】
【０００２】
配電盤，分電盤などの盤内に敷設した機器取付用レールに複数台の頭記回路遮断器（マニュアル・モータ・スタータ）を据付けた配電設備において、各回路遮断器の電源側端子を電源側の主幹機器（例えば配線用遮断器）に接続して給電するには、あらかじめ各回路遮断器の電源側端子の相互間に電線を渡り配線した上で、ここに電源側の電線を接続して各回路遮断器に一括して給電する配線方式が一般に採用されている。
【０００３】
また、前記渡り配線作業の利便性を図るために、メーカーでは回路遮断器のブスバーシステムとして、複数台の回路遮断器の間で電源側端子を相互接続する渡り配線専用のブスバー装置，および電源側の電線を接続する電源入力端子ブロックなどの付属装置がオプション品として用意されている（例えば、非特許文献１，特許文献１参照）。
【０００４】
次に、回路遮断器に適用した従来のブスバー装置を図８，図９に示す。各図において、１は回路遮断器（例えば、頭記のマニュアル・モータ・スタータ）、１ａは回路遮断器１のロッカー式操作ハンドル、１ｂは電源側端子（ネジ端子）、１ｃは負荷側端子、１ｄは端子カバーである。また、２は左右に並ぶ複数台の回路遮断器１（図示例では３台）について、その電源側端子１ｂの相互間を渡り配線する専用のブスバー（オプション品）、３は左端に並ぶ回路遮断器１の電源側端子１ｂに前記ブスバー２と一緒に接続した電源入力端子ブロック（オプション品）であり、そのカバー付きケース内には回路遮断器1の電源側端子１ｂに接続する端子板が収納されている。４は電源入力端子ブロック３と上位の電源機器との間に配線した電源側の電線、５は盤内に敷設した機器取付用レールである。
【０００５】
ここで、前記した渡り配線用のブスバー２は、３相電源回路のＲ，Ｓ，Ｔ各相に対応する３本のブスバー導体（平角導体）をラミネートしてその相互間および外周面に絶縁を施した上で、回路遮断器１の電源側端子１ｂの配列ピッチに合わせて各相のバー導体から側方に接続端子２ａ（ピン端子）を横一列に並べて引き出した一体構造になる。また、電源入力端子ブロック３についても、図示してないがブスバー２の接続端子２ａと同様なＲ，Ｓ，Ｔの各相に対応する接続端子を備えている。なお、前記接続端子２ａについては、フォーク端子を採用したものもある。
【０００６】
そして、盤内に設置した複数台の回路遮断器１（図示例では３台）に対して、その電源側端子１ｂを電源側の電線４に分岐接続するには、回路遮断器１の電源側端子１ｂ（ネジ端子）を緩めた上で、前記ブスバー２の接続端子２ａを図８の矢印方向から回路遮断器の電源側端子１ｂに差込み、さらに左端に並ぶ回路遮断器１の電源側端子１ｂにはブスバー２に重ねて配置した電源入力端子ブロック３の接続端子を一緒に差込んだ状態で各回路遮断器１の電源側端子（端子ネジ）１ｂを締め付けてブスバー２の接続端子２ａを接続する。これにより、各回路遮断器１の相互間がブスバー２を介して渡り配線される。
【先行技術文献】
【特許文献】
【０００７】
【特許文献１】特開２００７−１２８７９５号公報（図２）
【非特許文献】
【０００８】
【非特許文献１】製品カタログ“マニュアルモータスタータ  コンビネーションスタータ”、「ブスバーシステム」（第４２−４５頁）、［online］、富士電機機器制御株式会社、[平成２１年１２月５日検索]、インターネット＜http://www.fujielectric.co.jp/fcs/jpn/edc/catalog2/EH530d/EH530d_all.pdf＞
【発明の概要】
【発明が解決しようとする課題】
【０００９】
ところで、図８で述べた従来構造のブスバー装置は機能，取扱い面で次記のような問題点がある。すなわち、非特許文献１に開示されているように、ブスバーは回路遮断器の台数に対応した長さの一体ラミネート構造であり、回路遮断器１の使用台数（例えば、２台用〜５台用）によってその仕様長さが異なる。
【００１０】
そのために、複数台の回路遮断器１を盤内に並置してその相互間にブスバー２を接続した使用状態で、回路遮断器１に接続した負荷側回路の仕様変更などにより回路遮断器を異なる定格，特性の回路遮断器に付け替えたり、あるいは一時的に取り外したりする場合には、そのメンテナンス作業として各回路遮断器１の電源側端子ネジ１ｂを全て緩めてブスバー２を一旦取り外した上で回路遮断器１の付替えを行い、その後に改めて各回路遮断器１にブスバー２を接続し直す必要がある。また、一部の回路遮断器を取り外してブスバー２を使用する場合には、ブスバー２から引き出した各接続端子２ａのうち、回路遮断器１に接続しない接続端子２ａは充電部が露呈したままとなるため、感電防止対策としてその接続端子を絶縁カバーで覆うなどの措置が必要となる。さらに、既設の回路遮断器の横に並べて盤内に回路遮断器１を増設する場合には、その台数に対応した長さのブスバー（オプション品）に差し替えたり、別なブスバーを追加したりするなど、従来構造のブスバーではその配線作業に時間と手間がかかる。
【００１１】
この発明は上記の点に鑑みなされたものであり、その目的は前記課題を解決し、盤内に並置配備した複数台の回路遮断器について、その回路遮断器の一部を付替え，増設するなどの仕様変更に対しても、簡単な配線作業で柔軟に対応できるように構造を改良した回路遮断器のブスバー装置を提供することにある。
【課題を解決するための手段】
【００１２】
上記目的を達成するために、この発明によれば、左右に並べて盤内に設置した複数台の回路遮断器に対し、各回路遮断器の電源側端子の相互間に渡り配線する回路遮断器のブスバー装置において、
当該ブスバー装置を回路遮断器と一対一で対応するブスバーユニットに分けた上で、各ブスバーユニットは、そのユニットケースに各相のブスバー導体を内装し、かつ回路遮断器の端子配列に合わせて前記ブスバー導体から分岐した接続端子をユニットケースの側方に引き出した構成となし、このブスバーユニットの接続端子を回路遮断器の電源側端子に差込み接続した状態で、隣接するブスバーユニットの相互間をプラグイン式に連結して各相のブスバー導体同士を電気的に接続するものとし（請求項１）、そのブスバーユニットは具体的に次記のような態様で構成することができる。
（１）前記ブスバー導体の端部にバネ性を有する接続アームを一体形成し、該接続アームを隣接するユニットケースのブスバー導体に重ね合わせてプラグイン式に接続する（請求項２）。
（２）前項（１）において、接続アームがブスバー導体の端部から複数本に分けて分岐延在した撓み性を有するフォーク状のアームになり、かつ該アームの先端部には隣接するユニットケースのブスバー導体に重なり合う凸状接触部を形成する（請求項３）。
（３）前記ブスバーユニットについて、そのユニットケースの両端に着脱可能なサイドキャップ，サイドカバーを備える（請求項４）。
【発明の効果】
【００１３】
上記のようにブスバー装置を回路遮断器と一対一で対応するブスバーユニットに分けて構成することにより、盤内に並置配備した複数台の回路遮断器について、その回路遮断器を付替え，増設する仕様変更にも柔軟に対応して、回路遮断器の相互間に渡り配線するブスバー装置を簡単，かつ短時間の作業で構築することができ、これによりユーザーへのサービス性改善が図れる。
【図面の簡単な説明】
【００１４】
【図１】この発明の実施例によるブスバー装置の構成図であって、（ａ）はブスバー装置を回路遮断器に組み付けた使用状態の正面図、（ｂ），（ｃ）はそれぞれ（ａ）におけるブスバーユニットの外観斜視図，およびその内部に組み込んだブスバー導体の斜視図である。
【図２】図１（ａ）に対応する補足説明図であって、（ａ），（ｂ）はそれぞれブスバー装置を回路遮断器に接続した状態の平面図、および側面図である。
【図３】図１（ｂ）に対応するブスバーユニットの組立構造を表す図であって、（ａ），（ｂ）はそれぞれ上面側，および底面側から見た分解斜視図である。
【図４】図１における２組のブスバーユニットをプラグイン式に連結した状態を表す図であって、（ａ）正面図、（ｂ）は底面図、（ｃ），（ｄ）はそれぞれ上面側，底面側から見た斜視図である。
【図５】図４に対応する補足説明図であって、（ａ），（ｂ）はそれぞれユニットケースを取り除いたブスバー導体の接続状態を表す正面図，および底面図、（ｃ），（ｄ）はそれぞれ上面側，底面側から見た斜視図である。
【図６】この発明によるブスバー装置の異なる実施例の構成図であって、（ａ），（ｂ），（ｃ）はそれぞれブスバー装置を回路遮断器に接続した状態の正面図，平面図，および側面図である。
【図７】図６におけるブスバーユニットに組み込んだブスバー導体の配置図であって、（ａ），（ｂ）はそれぞれ正面図、および平面図である。
【図８】従来のブスバーを回路遮断器に接続する手順を表す正面図である。
【図９】図８のブスバーを電源入力端子ブロックとともに回路遮断器に接続した使用状態を表す図であって、（ａ），（ｂ）はそれぞれ正面図，および側面図である。
【発明を実施するための形態】
【００１５】
以下、この発明の実施の形態を図１〜図７に示す実施例に基づいて説明する。なお、実施例の図中で図８，図９に対応する部材には同じ符号を付してその説明は省略する。
【実施例１】
【００１６】
まず、図１〜図５によりこの発明の第１実施例によるブスバー装置の構造を説明する。
この実施例においては、左右に並べて盤内に設置した回路遮断器１（図１，図２参照）に対するオプション品としてのブスバー装置が、各回路遮断器１と一対一に対応するブスバーユニット６に分けて構成されている。ここで、各ブスバーユニット６は、そのユニットケース７にＲ，Ｓ，Ｔ各相に対応するブスバー導体８を組み付けた構成になり，各相のブスバー導体８には回路遮断器１の端子配列に合わせてケース７の側方に引き出した接続端子８ａが分岐形成されており、次に詳細な組立構造を図３に示す。
【００１７】
すなわち、ブスバーユニット６のユニットケース７（樹脂成形品）は、両端を開放した箱型のケース本体７ａ，サイドキャップ７ｂ，サイドカバー７ｃ，底蓋７ｄとの組立体になり、ケース本体７ａの内部にはＲ，Ｓ，Ｔ各相のブスバー導体８に対応する三つの室が仕切隔壁を隔てて画成されている。
【００１８】
一方、銅板の打ち抜き加工品になるブスバー導体８には、前記した接続端子８ａのほか、導体８の一端側には櫛歯状の切込みを入れて撓み性とバネ性を持たせたフォーク状の接続アーム８ｂが形成されており、その接続アーム８ｂは長手方向に沿いＺ字形に曲げ加工してその先端部に段差を形成した上で、この先端部の内側面には凸状の接触突起８ｃを形成している。そして、この各相のブスバー導体８を前記ユニットケース７の本体ケース７ａに収設した上で、本体ケース７ａにサイドキャップ７ｂ，サイドカバー７ｃ，底蓋７ｄを嵌合式に組み付けて回路遮断器の一台分に対応するブスバーユニット６を構成している。なお、この実施例では、サイドキャップ７ｂは、ブスバー導体８の接続アーム８ｂに嵌合させるようにしている。
【００１９】
前記構成になるブスバーユニット６を回路遮断器１に組み付けて使用するには、ユニットの連結状態で不要となるサイドキャップ７ｂ，ないしサイドカバー７ｃをあらかじめ取り外した上で、ブスバーユニット６を回路遮断器１の長手方向に対して並行方向、すなわちユニットケース７から側方に引き出した接続端子８ａを図１（ａ）で示すように回路遮断器１の電源側端子１ｂに上方から差込み接続し、この状態で同時に隣接するブスバーユニット６との間をプラグイン式に連結して各相のブスバー導体８を電気的に直列接続する。なお、図中の左端に並ぶ回路遮断器１には図９と同様に電源入力端子ブロック３を組み付けて電源側の電線４と接続している。
【００２０】
次に、隣り合う２組のブスバーユニット６をプラグイン式に連結した状態を図４，図５に示す。この図から明らかなように、前記した接続アーム８ｂに形成した接続突起８ｃが接続相手のブスバー導体８の表面に重なり合い、接続アーム８ｂのバネ弾性により加圧接触される。これにより、ブスバーユニット６の相互間では各相のブスバー導体８の間が電気的に渡り接続されることになる。また、ブスバー導体８の接続アーム８ｂに対応して接続相手のユニットケース７の端部にはアーム差込用の切欠溝を形成した上で、この切欠溝をブスバーユニット６の連結状態で嵌合により塞ぐように栓蓋７ｅを備えており、この栓蓋７ｅでブスバー導体８の充電部がケース外方に露呈するのを防いで感電事故の防止を図るようにしている。
【００２１】
なお、図１（ａ）では、ブスバーユニット６を個別に回路遮断器１の電源側端子１ｂへ上方側から差込み式に装着し、この装着過程で同時にブスバーユニット相互間をプラグイン式に連結するようにしているが、これとは別な方法として、回路遮断器１の台数に対応する個数のブスバーユニット６をあらかじめプラグイン式に連結しておき、このユニット集合体を左右に並べて盤内に設置した回路遮断器１に一括して差込み接続するようにしてもよい。また、ブスバー導体８からケース側方に引出した接続端子８ａについて、図示実施例では先端が二股形状のフォーク端子を採用しているが、図８と同様なピン端子で構成してもよい。さらに、ブスバー導体８の端部に形成した接続アーム８ｂについても、接続相手のブスバー導体８を両側から挟み込んで接触させるような異形のフォーク形状で構成することもできる。
【００２２】
上記構成によれば、盤内に並置配備した複数台の回路遮断器１にブスバーユニット６を接続して回路遮断器の相互間に渡り配線した使用状態で、回路遮断器１を付替え，取り外し、増設する配電回路の仕様変更にも、ブスバーユニット６を個別に差し替えるだけの簡単な作業で柔軟に対応できる。
【実施例２】
【００２３】
次に、この発明による応用実施例を図６，および図７に示す。この第２実施例ではユニットケース７に組み込んだブスバー導体８の向きが先記実施例１とは９０度異なり、Ｒ，Ｓ，Ｔ各相に対応するブスバー導体８が前後方向に並んでユニットケース７の内部に組み込まれ、かつ各相のブスバー導体８から分岐した接続端子８ａをブスバーの導体面と直角方向に屈曲させてユニットケース７の側方に引き出している。
【００２４】
この構造によれば、ブスバーユニット６を盤内に設置した回路遮断器１の電源側端子１ｂに接続する際には、電源側端子１ｂの端子ネジをあらかじめ外した上でブスバーユニット６を回路遮断器１の長手方向に対して垂直方向、すなわち回路遮断器１の前方，あるいは側方から装着することにより、接続アーム８ｂを介してブスバー導体８が隣接ユニットのブスバー導体８とプラグイン式に接続される。そして、この装着状態で電源側端子１ｂに端子ネジを螺合して締め直すことで接続端子８ａとの間が接続される。
【００２５】
したがって、盤内に設置した回路遮断器１の上方側に殆ど遊び空間が無い場合でも、ブスバーユニット６の着脱操作を盤の前方側から支障なく行うことができる。なお、各ブスバーユニット６を相互連結した状態では、ケース７の連結端部に図４に示した栓蓋７ｅと同様な栓蓋を被着して接続アーム８ｂが外方に露呈するのを防ぐようにしている。
【符号の説明】
【００２６】
１：回路遮断器
１ｂ：電源側端子
３：電源入力端子ブロック
４：電源側の電線
５：回路遮断器の取付用レール
６：ブスバーユニット
７：ユニットケース
７ａ：ケース本体
７ｂ：サイドキャップ
７ｃ：サイドカバー
８：ブスバー導体
８ａ：接続端子
８ｂ：接続アーム
８ｃ：接触突起
【図１】
2011125149.tif 000003
【図２】
2011125149.tif 000004
【図３】
2011125149.tif 000005
【図４】
2011125149.tif 000006
【図５】
2011125149.tif 000007
【図６】
2011125149.tif 000008
【図７】
2011125149.tif 000009
【図８】
2011125149.tif 000010
【図９】
2011125149.tif 000011